(57)【要約】壁面取付け式棚板システムは、一対の支持部材、支持部材の間を延びる保管トレイ、及び棚板システムを壁に固定するように配置された延伸剥離接着性ストリップを含む。各支持部材は、裏板及び裏板と接続されたフレーム部材を含み、各フレーム部材は、少なくとも裏板と接続され、かつそれにほぼ垂直に配置された第１の支持部分、第１の支持部分にほぼ垂直に配置され、そこから延びる延長部分、並びに延長部分の端部から延び、第１の支持部分にほぼ平行に配置された第２の支持部分を含む。
2010502384.tif 000002
【特許請求の範囲】
【請求項１】
（ａ）それぞれが裏板及び前記裏板と接続されたフレーム部材を含み、各フレーム部材が、少なくとも前記裏板と接続され、かつそれにほぼ垂直に配置された第１の支持部分、前記第１の支持部分にほぼ垂直に配置され、そこから延びる延長部分、並びに前記延長部分の端部から延び、前記第１の支持部分にほぼ平行に配置された第２の支持部分を含む、一対の支持部材と、
（ｂ）前記フレーム部材の関連する前記第１の支持部分の間を延びる保管トレイと、
（ｃ）前記裏板と壁との間に配置されて、棚板システムを前記壁に固定する延伸剥離接着性ストリップとを備える、壁面取付け式棚板システム。
【請求項２】
各フレーム部材が、関連する前記裏板と接続された末端インターフェース部分を含む、請求項１に記載の棚板システム。
【請求項３】
各インターフェース部分が、関連する前記裏板の主要部分に沿って延び、かつそれと接続される、請求項２に記載の棚板システム。
【請求項４】
前記第２の支持部分が、前記棚板システムが壁面上に取り付けられるとき、前記壁面に当接するように寸法決めされる、請求項１に記載の棚板システム。
【請求項５】
各裏板と重なり合う関係で配置されたカバープレートを更に備える、請求項１に記載の棚板システム。
【請求項６】
前記フレーム部材が連続金属ロッドから構築される、請求項１に記載の棚板システム。
【請求項７】
各トレイが排水開口部を含む、請求項１に記載の棚板システム。
【請求項８】
前記延伸剥離接着性ストリップが、接着性部分と、前記裏板の端部を超えて外向きに延びる非接着性プルタブ部分とを含む、請求項１に記載の棚板システム。
【請求項９】
前記支持部分が前記延長部分とヒンジ接続される、請求項１に記載の棚板システム。
【発明の詳細な説明】
【技術分野】
【０００１】
本発明は、一般に、保管物品に関し、より具体的には、例えば、浴槽若しくはシャワーで一般的に使用される様々な用品を保持するため、浴槽又はシャワー室の内面に接着して取り付けることができる、保管棚アセンブリに関する。
【背景技術】
【０００２】
シャワーキャディ若しくはバスキャディと称される場合が多い、シャワー及び浴槽の保管デバイスは、一般的に、シャワー室及び浴槽内で、石鹸、シャンプーなどの用品及び他の浴用用品を保持並びに／又は保管するのに使用される。保管される用品に重量があるため、またそのような用品を、釘及びねじなどの機械的締結具を使用してシャワー室又は浴槽内に取り付けることは一般に実用的ではないため、そのようなデバイスは、通常、シャワーノズル固定具から吊り下げられる。そのようなデバイスは先行技術において既知である。例えば、米国特許第４，９６９，５８０号（ミハイル・エサット（Mikhail Essatt））、米国特許第４，１０８，３１４号（ラッカ（Racca））、米国特許第５，２５５，４０１号（サムブルックス（Sambrookes）ら）、及び米国特許第６，５２０，３５１号（ザドロ（Zadro））が、そのようなデバイスを開示している。例えば、米国特許第５，２８９，９２７号（エメリー（Emery））に開示されているように、吸盤を使用してそのようなデバイスを取り付けることもまた既知である。
【０００３】
しかしながら、そのようなデバイスには特定の欠点及び弱点がある。例えば、シャワーノズル固定具から吊り下げるデバイスは、大型で邪魔になりがちであり、そのようなデバイスは、キャディ内の用品にユーザがアクセスできるように、シャワーヘッドの下にあるシャワーノズル固定具から吊り下げなければならないため、不安定で、横に揺れ動いたり、シャワーノズル固定具から滑り落ちる傾向がある。それに加えて、取付け位置がシャワーノズル固定具の位置によって限定されるので、移動させることができず、また、シャワーヘッドの直下に取り付けなければならないため、シャワーを使用する際に邪魔になる傾向がある。一方、吸盤を用いて取り付けられるデバイスは、保持能力が限定され、時間とともにそれらの保持能力を失う傾向がある。結果として、吸盤を用いて取り付けられるデバイスはしばしば機能しなくなり、それによってデバイス及びその内容物が壁から落下してしまう。
【先行技術文献】
【特許文献】
【０００４】
【特許文献１】米国特許第４，９６９，５８０号
【特許文献２】米国特許第４，１０８，３１４号
【特許文献３】米国特許第５，２５５，４０１号
【特許文献４】米国特許第６，５２０，３５１号
【特許文献５】米国特許第５，２８９，９２７号
【特許文献６】米国特許第４，０２４，３１２号
【特許文献７】米国特許第５，５１６，５８１号
【特許文献８】米国特許第６，２３１，９６２号
【特許文献９】米国特許第６，５６９，５２１号
【特許文献１０】米国特許第７，０７８，０９３号
【特許文献１１】ドイツ特許第３３  ３１  ０１６号
【特許文献１２】米国特許第６，６４１，９１０号
【特許文献１３】米国特許第６，５４１，０８９号
【特許文献１４】米国特許第６，９７２，１４１号
【発明の概要】
【発明が解決しようとする課題】
【０００５】
したがって、シャワー室又は浴槽の壁面に接着して取り付けることができ、安価で、設置が容易であり、デバイスに一般的に保管される用品を支持するのに十分な強度で保持する保管デバイスが必要とされている。
【課題を解決するための手段】
【０００６】
本発明は、例えば、シャワー室又は浴槽の壁面に接着して取り付けることができ、安価で、設置が容易であり、デバイスに一般的に保管される用品を支持するのに十分な強度で保持する棚板システムを提供することによって、当該分野における上記に特定した制限を克服する。
【０００７】
一実施形態では、本発明は、裏板及び裏板と接続されたフレーム部材をそれぞれが含み、各フレーム部材が、少なくとも裏板と接続され、かつそれにほぼ垂直に配置された第１の支持部分、第１の支持部分にほぼ垂直に配置され、そこから延びる延長部分、並びに延長部分の端部から延び、第１の支持部分にほぼ平行に配置された第２の支持部分を含む、一対の支持部材と、フレーム部材の関連する第１の支持部分の間を延びる保管トレイと、裏板と壁との間に配置され、棚板システムを壁に固定する延伸剥離接着性ストリップとを含む、壁面取付け式棚板システムを提供する。
【図面の簡単な説明】
【０００８】
本発明は、添付図面を参照して更に記載される。
【図１】本発明による壁面取付け式棚板システムの斜視図。
【図２】保管トレイ（strays）を取り除いて示した棚板システムの斜視図。
【図３】裏板から取り外したカバープレートを示す、部分的に分解した詳細な斜視図。
【発明を実施するための形態】
【０００９】
ここで図面を参照すると（複数の図面を通して、同様の参照番号は同様の又は対応する部品を指す）、図１〜３は、例えば、シャワー室又は浴槽内で用品を保管するための、壁面取付け式棚板システム２を示している。棚板システム２は、一対の支持部材４と、支持部材４に接続され、ほぼそれらの間に配置される複数の取り外し可能な保管トレイ６とを含む。
【００１０】
各支持部材４は、裏板８（図３に最も明瞭に示される）と、裏板８と接続される第１の端部を有する蛇状のフレーム部材１０とを含む。蛇状のフレーム部材１０は、裏板８から壁面１２に沿ってほぼ下向きに延びる。図示される実施形態では、各フレーム部材１０は、関連する裏板８に沿って延び、それと接続された任意の末端インターフェース部分１０ａと、裏板８に対してほぼ垂直な関係で末端インターフェース部分１０ａから外向きに延びる第１の支持部分１０ｂ（図２）と、第１の支持部分１０ｂに対してほぼ垂直な関係で配置され、そこから下向きに延びる延長部分１０ｃと、延長部分１０ｃの端部から、第１の支持部分１０ｂに対してほぼ平行な関係で、壁面１２に向かって内向きに延びる第２の支持部分１０ｄ（図２）とを含む。このようにして、裏板８とフレーム部材１０との間に伸長された接続が形成され、その接続は、第１の支持部分１０が裏板８と垂直に接続された場合よりも強力で安定している。
【００１１】
延伸剥離接着性ストリップ１４は、棚板システム２を壁面１２に固定するために、裏板８と壁面１２との間に配置される。好適な延伸剥離接着剤は、３Ｍ社（3M Company）（ミネソタ州セントポール（St. Paul））からコマンド（COMMAND）という商用名で入手可能な両面延伸剥離接着性ストリップである。市販のコマンド（COMMAND）接着性ストリップは現在、除去する間ストリップの引張りを促進するために、ストリップの一端が非接着性のプルタブを含む、別個のストリップとして製造されている。
【００１２】
図示される実施形態では、保管トレイ６の各側端部は湾曲して、保管トレイ６を手作業でフレーム部材の支持部分１０ｂ、１０ｄに固定し、そこから取り外すのを可能にするチャネル２２を規定している。それに加えて、図示される実施形態では、保管トレイ６は、その中に置かれた用品をより良好に保持できるように、ある程度窪んだ形状を備えている。保管トレイ内に集まる水をそこから排水できるように、保管トレイ６は、任意に開口部（図示なし）を含んでもよい。保管トレイ６及び裏板８は、例えば、金属及び合成プラスチック材料、又はそれらの組み合わせなど、好適ないかなる材料で形成されてもよい。
【００１３】
延伸剥離接着剤は、強力な保持力と併せて、きれいに除去することができ、表面を損傷しない、高性能の感圧性接着剤である。両面接着性ストリップ１４は、弾性裏材を備えた延伸剥離接着剤テープ、高伸張性かつ実質的に非弾性の裏材を備えた延伸剥離接着剤テープ、又は固体の弾性感圧性接着剤を含む延伸剥離接着剤テープを含む、従来から既知の任意の延伸剥離接着剤テープであってよいが、好ましくは、耐湿性の（即ち、水の存在下及び／又は高湿環境中で保持力を維持する）延伸剥離接着性ストリップである。
【００１４】
本発明の様々な実施形態に使用するのに適した具体的なテープとしては、米国特許第４，０２４，３１２号（コープマン（Korpman））に記載されている、弾性裏材を備えた感圧性接着性テープ、米国特許第５，５１６，５８１号（クレッケル（Kreckel）ら）、及び同第６，２３１，９６２号（ブリーズ（Bries）ら）、同第６，５６９，５２１号（シェリダン（Sheridan）ら）、同第７，０７８，０９３号（シェリダンら）に記載されている、高伸張性かつ実質的に非弾性の裏材を備えた感圧性接着性テープ、並びにドイツ特許第３３  ３１  ０１６号に記載されている、固体の弾性感圧性接着剤が挙げられる。他の好適な延伸剥離接着性構造体としては、米国特許第６，９７２，１４１号（ブリーズ（Bries）ら）に記載されている、分離可能な締結具を含む延伸除去式（stretch removable）接着性テープ積層体、並びに米国特許第６，６４１，９１０号（ブリーズら）、及び同第６，５４１，０８９号（ハメルスキー（Hamerski）ら）に記載されている、細長い延伸除去式テープ構造体が挙げられる。
【００１５】
図示される実施形態では、各フレーム部材１０の最下方の支持部分１０ｇ（図２）は、棚板システム２が壁面１２上に取り付けられるとき、壁面１２に当接するように寸法決めされる。最下方の支持部分１６をこのように寸法決めすることによって、棚板システムに回転安定性がもたらされ、更に、棚板システム及びその上で支持される用品の重量によって生じる、接着性ストリップ１４に掛かる剥離力が最小限に抑えられる。
【００１６】
延伸剥離接着性ストリップ１４は、図面中では裏板８に隠れている接着性部分と、図３に最も明瞭に示されるように、裏板８の底部を超えて外向きに延びる、非接着性のプルタブ部分１４ｂとを含む。接着性ストリップ１４が、米国特許第６，９７２，１４１号（ブリーズ（Bries）ら）に記載されているもののような分離可能な締結具を含む場合、裏板８は、接着性ストリップの接着性部分及び非接着性プルタブ部分１４ｂの両方を隠すように設計することができる。これは、最初に、分離可能な締結具によって接着性ストリップを分離し、次に、残りの半分をそれぞれ、そのそれぞれの表面から延伸除去することによって、各接着性ストリップを除去することができるためである。
【００１７】
図示される実施形態に示されるように、接着性ストリップ１４が分離可能な締結具を含まない場合、棚板システム２は、各裏板８と重なり合う関係で配置されてもよい、任意のカバープレート１８を含んでもよい。カバープレート１８を裏板８と接続できるようにするため、カバープレート１８は、フレーム部材１０に対応する細長いスロットを含む。裏板８に取り付けられるとき、カバープレート１８は、接着性ストリップ１４の非接着性のプルタブ部分１４ｂに被さり、それによってそこを隠すのに役立つが、カバープレート１８が裏板８から取り外されると、非接着性のプルタブ１４ｂは露出し、接着性ストリップ１４を壁面１２から延伸除去しようとするユーザが容易にアクセスすることができる。
【００１８】
フレーム部材１０は、金属又は合成プラスチック材料を含む好適ないかなる硬質材料から構築されてもよい。特に好適な材料は、ビニルコーティングされたロッドなどの連続金属ロッドである。金属は、その強度及び製造特性の理由で望ましい。棚板システム２をよりコンパクトに輸送又は保管できるようにするため、フレーム部材１０  ４は、支持部分１０ｂ、１０ｄ及び延長部分１０ｃを一緒に折り畳むことを可能にするヒンジ式の構造を含んでもよい。保管トレイ６は、金属、合成プラスチック材料、又は帆布若しくは開放式ネット状の材料などの布地で形成されてもよい。更に、トレイ６は、トレイの意図される最終用途に応じて、特定の目的向けに設計されてもよい。
【００１９】
発明の概念から逸脱することなく、上述の発明を様々に変更及び修正してもよいことが、当業者には理解されよう。例えば、棚板システムを、任意の数の保管トレイを含むように設計してもよいことが認識されるであろう。このように、本発明の範囲は、本願に記載の構造に限定されるべきではなく、特許請求の範囲の文言によって記載される構造、及びそれらの構造と同等のものによってのみ限定される。
【図１】
2010502384.tif 000003
【図２】
2010502384.tif 000004
【図３】
2010502384.tif 000005
【国際調査報告】
2010502384.tif 000006
2010502384.tif 000007